(57)【特許請求の範囲】
【請求項１】
ページを開いた状態の冊子状媒体を搬送するための搬送路と、捲りローラと、制御部とを有し、
前記制御部は、
前記冊子状媒体を前記搬送路に沿って搬送させる処理と、
ページを開いた状態の前記冊子状媒体を、一方のページに前記捲りローラが当接する第１の位置に搬送した後、前記捲りローラを、当接している前記冊子状媒体の前記一方のページを前記冊子状媒体の背山側に捲り上げる規定方向に回転させて前記一方のページを捲るページ捲り処理と、
ページを開いた状態の前記冊子状媒体を、他方のページに前記捲りローラが当接する第２の位置に搬送した後、前記捲りローラを、前記規定方向に回転させて前記冊子状媒体の背山を前記捲りローラ側に繰り出す繰出処理と、
前記繰出処理によって繰り出された前記冊子状媒体の搬送方向の長さを判定し、複数の冊子状媒体の重送があるか否かを判定する重送判定と、を制御することを特徴とする冊子状媒体処理装置。
【請求項２】
前記搬送路は、一方が駆動モータにより回転駆動される駆動ローラと、他方が前記駆動ローラの回転に従動して回転する従動ローラとを備える搬送ローラを複数並べて形成され、
前記制御部は、前記冊子状媒体を前記搬送ローラで挟持させて搬送するよう制御することを特徴とする請求項１に記載の冊子状媒体処理装置。
【請求項３】
前記制御部は、前記冊子状媒体を前記第２の位置に搬送した後、前記駆動ローラと前記従動ローラとの隙間を広げてから、前記捲りローラを前記規定方向に回転させるよう制御することを特徴とする請求項２に記載の冊子状媒体処理装置。
【請求項４】
前記搬送路に沿って搬送される前記冊子状媒体の有無を検知するセンサをさらに有し、前記制御部は、前記センサを用いて前記冊子状媒体の搬送方向の長さを検出することを特徴とする請求項１〜３のいずれかに記載の冊子状媒体処理装置。
【請求項５】
前記制御部は、前記繰出処理を行う前に検出する前記冊子状媒体の搬送方向の長さと前記繰出処理を行った後に検出する前記冊子状媒体の搬送方向の長さとの差が予め定めた値を超えているときに、前記冊子状媒体の重送があると判定することを特徴とする請求項１〜４のいずれかに記載の冊子状媒体処理装置。
【発明の詳細な説明】
【技術分野】
【０００１】
この発明は、通帳等の冊子状媒体を、ページを開いた状態で搬送路に沿って搬送する冊子状媒体処理装置に関する。
【背景技術】
【０００２】
従来、銀行等の金融機関は、口座を開設した利用者に対して、当該口座における取引の履歴を記帳する通帳を発行している。金融機関の店舗等に設置されている現金自動預け払い機（以下、ＡＴＭと言う。）や、記帳機等の自動機は、取引履歴を通帳に記帳する通帳処理ユニットを備えている。
【０００３】
利用者は、通帳処理ユニットの通帳挿入口に、通帳を開いた状態で挿入する。利用者は、取引履歴が印字されている最終印字行のページ（今回、取引履歴の印字を開始するページ）を開く。通帳処理ユニットは、通帳挿入口に挿入された通帳を一対の搬送ローラで挟持して搬送する。通帳の搬送路は、一対の搬送ローラを複数並べて形成している。一対の搬送ローラは、一方が駆動モータにより駆動される駆動ローラであり、他方が駆動ローラの回転に従動して回転する従動ローラである。
【０００４】
通帳処理ユニットは、搬送路に沿って通帳を搬送し、この通帳の背表紙に貼付されている磁気ストライプに記録されている口座番号等の口座情報の読み取りにかかる処理（磁気データ読取処理）、通帳の開かれているページに対する取引履歴の印字にかかる処理（印字処理）、通帳のページを１枚捲るページ捲りにかかる処理（ページ捲り処理）等の各種処理を必要に応じて行う。
【０００５】
また、通帳処理ユニットは、利用者が誤って通帳を２冊重ねて通帳挿入口に挿入した場合、一方の通帳の背表紙に貼付されている磁気ストライプから口座番号等の情報を読み取り、当該口座における取引の取引内容を誤って他方の通帳に印字するのを防止するために、挿入された通帳が１冊であるか、複数冊（重送）であるかの判定を行っている。例えば、通帳挿入口に挿入された通帳の厚さを検知する厚さ検知センサを備え、この厚さ検知センサで検知した通帳の厚さが適正であるかどうかにより、搬送している通帳が一冊であるか、複数冊（重送）であるかの判定を行っている（特許文献１〜３等参照）。
【先行技術文献】
【特許文献】
【０００６】
【特許文献１】特開平１０−２４１０１３号公報
【特許文献２】特開平  ８−  ２６５２８号公報
【特許文献３】特開昭６０−２５０４９０号公報
【発明の概要】
【発明が解決しようとする課題】
【０００７】
しかしながら、通帳の厚さを検知する厚さ検知センサを用いて通帳の重送を判定する構成では、この厚さ検知センサを搬送路に備えなければならず、通帳処理ユニットの大型化やコストアップという問題があった。
【０００８】
この発明の目的は、ページを開いた状態で搬送路に沿って搬送している冊子状媒体の重送を精度良く判定することができ、且つ、本体の大型化やコストアップを十分に抑えた冊子状媒体処理装置を提供することにある。
【課題を解決するための手段】
【０００９】
この発明の冊子状媒体処理装置は、上記課題を解決し、その目的を達するために、以下のように構成している。
【００１０】
制御部が、ページを開いた状態の冊子状媒体（例えば、通帳）を搬送路に沿って搬送させる。搬送路は、例えば、一方が駆動モータにより回転駆動される駆動ローラと、他方が駆動ローラの回転に従動して回転する従動ローラとを備える搬送ローラを複数並べて形成されている。制御部は、ページを開いた状態の冊子状媒体を搬送ローラで挟持させて搬送するように制御する。
【００１１】
また、制御部は、ページを開いた状態の冊子状媒体を、一方のページに捲りローラが当接する第１の位置に搬送した後、捲りローラを、当接している冊子状媒体の一方のページを冊子状媒体の背山側に捲り上げる規定方向に回転させて一方のページを捲るページ捲り処理を制御する。
【００１２】
また、制御部は、ページを開いた状態の冊子状媒体を、他方のページに捲りローラが当接する第２の位置に搬送した後、捲りローラを、規定方向に回転させて冊子状媒体の背山を捲りローラ側に繰り出す繰出処理を制御する。ページ捲り処理と、繰出処理とにおける、捲りローラの回転方向は同じ方向(規定方向）である。
【００１３】
例えば、通帳が２冊重なった状態で、第２の位置に搬送された場合、上記繰出処理を行うと、捲りローラが当接する一方の通帳が、この捲りローラとの間で生じる摩擦力によって繰り出される。このとき、通帳が重なっていれば、捲りローラが当接した通帳が、この通帳の下側（捲りローラの反対側）に位置する他方の通帳に比べて大きく繰り出され、一方の通帳と、他方の通帳との重なり位置が搬送方向にずれる。したがって、通帳が重送されていた場合、繰出処理を行うことによって、この通帳（２冊の通帳）の搬送方向の長さが見かけ上、長くなる。
【００１４】
さらに、制御部は、繰出処理によって繰り出した冊子状媒体の搬送方向の長さを判定し、複数の冊子状媒体の重送があるか否かを判定する重送判定を制御する。
【００１５】
このように、この発明は、捲りローラを利用して、複数冊の冊子状媒体が重なっていれば、これらの冊子状媒体の重なり位置を搬送方向にずらす繰出処理を行う。そして、この繰出処理を行った後に、冊子状媒体の搬送方向の長さが適正であるか否かによって重送であるかどうかを判定する。したがって、冊子状媒体の重送を精度良く判定することができる。
【００１６】
また、搬送路に沿って搬送している冊子状媒体の厚さを検知する必要がないので、本体の大型化やコストアップが十分に抑えられる。
【００１７】
また、繰出処理は、駆動ローラと、従動ローラとの隙間を広げ、搬送ローラが冊子状媒体を挟持していない状態にした後、捲りローラを規定方向に回転させるのが好ましい。このようにすれば、重送されている冊子状媒体が、この繰出処理で搬送方向にずれる量をより大きくでき、重送であるかどうかの判定精度を一層向上できる。
【００１８】
また、重送判定は、繰出処理を行う前に検出した冊子状媒体の搬送方向の長さと、繰出処理を行った後に検出した冊子状媒体の搬送方向の長さと、を比較して、冊子状媒体の重送であるかどうかを判定するのが好ましい。このようにすれば、重送であるかどうかの判定精度を一層向上できる。
【発明の効果】
【００１９】
この発明によれば、ページを開いた状態で搬送路に沿って搬送している冊子状媒体の重送を精度良く判定することができる。また、本体の大型化やコストアップが十分に抑えられる。
【図面の簡単な説明】
【００２０】
【図１】通帳処理ユニットの主要部の構成を示すブロック図である。
【図２】通帳処理ユニットの内部構成を示す概略図である。
【図３】通帳がページ捲り位置に位置する状態を示している。
【図４】通帳が重送検査位置に位置する状態を示している。
【図５】ページ捲り処理を説明する図である。
【図６】ページ捲り処理を説明する図である。
【図７】ページ捲り処理を説明する図である。
【図８】ページ捲り処理を説明する図である。
【図９】ページ捲り処理を説明する図である。
【図１０】繰出処理を説明する図である。
【図１１】繰出処理を説明する図である。
【図１２】繰出処理を説明する図である。
【図１３】繰出処理を説明する図である。
【図１４】繰出処理を説明する図である。
【図１５】通帳処理ユニットの動作を示すフローチャートである。
【発明を実施するための形態】
【００２１】
以下、この発明の実施形態である通帳処理ユニットについて説明する。
【００２２】
図１は、この通帳処理ユニットの主要部の構成を示すブロック図である。図２は、この通帳処理ユニットの内部構成を示す概略図である。この通帳処理ユニット１は、図１に示すように、制御部２と、搬送部３と、検知部４と、磁気データ処理部５と、印字部６と、バーコード読取部７と、ページ捲りローラ駆動部８と、通信部９と、を備えている。
【００２３】
この通帳処理ユニット１は、銀行等の金融機関に設置される現金自動預け払い機（ＡＴＭ）や、記帳機等の自動機に組み込むことができる。この通帳処理ユニット１は、通帳を受け付けると、その通帳に対応する口座に対して行われた取引であって、その時点で取引内容を当該通帳に印字していない取引（このとき、同時に行う取引も含む。）があれば、その取引の取引内容を受け付けた通帳に印字する。
【００２４】
図１、および図２を参照しながら、通帳処理ユニット１の各部の構成について説明する。制御部２は、通帳処理ユニット１本体各部の動作を制御する。制御部２は、ＣＰＵやメモリ（不揮発性メモリ、および揮発性メモリ）を有する。
【００２５】
搬送部３は、搬送路に沿って通帳を搬送する。搬送路は、一対の搬送ローラ３１〜３６を複数並べて形成している。一対の搬送ローラ３１〜３６は、一方がパルスモータ（不図示）により回転駆動される駆動ローラであり、他方が駆動ローラの回転に従動して回転する従動ローラである。隣接する搬送ローラ３１〜３６の間隔は、ページを開いた通帳の搬送方向の長さよりも短い。搬送部３は、通帳を、駆動ローラと従動ローラとで挟持して搬送する。搬送路は、通帳処理ユニット１本体正面に設けた通帳挿入口１２と、後述するページ捲り位置（この発明で言う第１の位置に相当する。）とを結んでいる。また、搬送路における通帳挿入口１２とページ捲り位置との間に、後述する磁気データ読取位置、印字位置、光学データ読取位置、重送検査位置（この発明で言う第２の位置に相当する。）等を設定している。
【００２６】
また、搬送部３は、制御部２からの指示にしたがって駆動ローラを回転駆動する。また、搬送部３は、制御部２からの指示にしたがって駆動ローラの回転方向を切り替えることで、通帳を通帳挿入口１２から通帳処理ユニット１本体内部に取り込む方向（図２に示す左方向）、および通帳処理ユニット１本体内部から通帳挿入口１２に排出する方向（図２に示す右方向）に搬送することができる。ここでは、搬送路における通帳の搬送方向にかかわらず、ページ捲り位置側を通帳の先端といい、通帳挿入口１２側を通帳の後端という。
【００２７】
なお、ここでは、搬送路を６つの搬送ローラ３１〜３６で構成した例を示しているが、搬送路を形成する搬送路ローラの個数については、６つに限定されることはなく、いくつであってもよい。
【００２８】
検知部４は、通帳の有無を検知する搬送路の検知点毎に、光学センサ４１〜４４を有している。光学センサ４１は、反射型であってもよいし、透過型であってもよい。ここでは、反射型の光学センサ４１〜４４を用いた場合を例にしている。検知部４は、光学センサ４１〜４４毎に、その光学センサ４１〜４４の検知位置における通帳の先端（ページ捲り位置側）、または後端（通帳挿入口１２側）の通過を検知する。
【００２９】
制御部２は、光学センサ４１〜４４による先端、または後端の検知、および搬送部３による通帳の搬送量（駆動ローラの回転量）に基づき、搬送路における通帳の位置を推定する。光学センサ４１の検知位置と、光学センサ４４の検知位置との距離は、搬送路に沿って搬送するページを開いた状態の通帳の搬送方向の長さよりも数十ｍｍ（３０〜４０ｍｍ程度）長い。したがって、光学センサ４１と光学センサ４４とが同時に通帳を検出したときには、何らかの異常が生じている。
【００３０】
なお、ここでは、搬送路に沿って配置した４つの光学センサ４１〜４４を例示しているが、その個数については、４つに限定されることはなく、いくつであってもよい。
【００３１】
磁気データ処理部５は、搬送路を搬送されている通帳に貼付されている磁気ストライプに当接し、この磁気ストライプに対する磁気データの読取や記録を行う磁気ヘッド５１を有している。この磁気ストライプには、対応する口座の口座番号等が記録されている。この磁気ヘッド５１を配置している位置が、磁気データ読取位置である。
【００３２】
印字部６は、搬送路を搬送されている通帳に対して取引内容を印字する印字ヘッド６１を有している。この印字ヘッド６１を配置している位置が、印字位置である。
【００３３】
バーコード読取部７は、搬送路を搬送されている通帳の開かれている頁に印刷されているバーコード（頁番号等）を読み取るバーコードリーダ７１を有している。このバーコードリーダ７１を配置している位置が、光学データ読取位置である。
【００３４】
ページ捲りローラ駆動部８は、搬送路を搬送されている通帳の頁を捲るページ捲りローラ８１を回転駆動する。ページ捲りローラ駆動部８は、制御部２からの指示にしたがってページ捲りローラ８１を回転する。ページ捲りローラ８１の回転方向は１方向（この発明で言う規定方向）である（図２において、右回りである。）。ページ捲りローラ８１を回転したときに、通帳がページ捲り位置にあれば、この発明で言うページ捲り処理が行われ、通帳が重送検査位置にあれば、この発明で言う繰出処理が行われる。
【００３５】
さらに、通信部９は、この通帳処理ユニット１を組み込んだＡＴＭや記帳機等の上位装置の主制御部（不図示）との間における通信を行う。
【００３６】
ここでページ捲り位置と、重送検査位置とについて説明する。図３は、通帳がページ捲り位置に位置する状態を示している。図４は、通帳が重送検査位置に位置する状態を示している。図３、および図４に示すように、ページ捲り位置と、重送検査位置とでは、ページ捲りローラ８１に対する、通帳の背山の位置が異なる。ページ捲りローラ８１は、図３、および図４に矢示する方向に回転する。ページ捲りローラ８１は、偏心ローラであり、回転したときに、周面の一部が搬送路に位置している通帳の開かれているページに当接する。ページ捲り位置では、ページ捲りローラ８１を回転させたとき、このページ捲りローラ８１が当接したページが通帳の背山側に捲り上げられる方向に摩擦力が生じる。図３に示すように、ページ捲り位置では、通帳の背山がページ捲りローラ８１よりも先端側に位置している。
【００３７】
一方、重送検査位置では、ページ捲りローラ８１を回転させたとき、このページ捲りローラ８１が当接したページが通帳の背山側に捲り上げられる方向ではなく、通帳を先端側に繰り出す方向に摩擦力が生じる。図４に示すように、重送検査位置では、通帳の背山がページ捲りローラ８１よりも後端側に位置している。
【００３８】
次に、図５〜図９を参照しながら、ページ捲り処理について説明する。図５は、通帳をページ捲り位置に搬送し、停止した状態を示している。制御部２は、ページ捲りローラ駆動部８に対して、ページ捲りローラ８１の回転駆動を指示する。ページ捲りローラ駆動部８は、この指示にしたがって、ページ捲りローラ８１を１回転する。このページ捲りローラ８１の回転により、ページ捲りローラ８１が当接したページが通帳の背山側に捲り上げられる（図６、図７参照）。
【００３９】
制御部２は、搬送部３に対して通帳を印字位置側に搬送することを指示する。搬送部３が、この指示にしたがって、通帳を印字位置側に搬送すると、ページ捲りローラ８１により捲り上げられたページが、通帳の搬送にともなって、反対側に倒れる（図８、図９参照）。これにより、通帳のページが捲られた状態になる。
【００４０】
次に、図１０〜図１４を参照しながら、繰出処理について説明する。図１０は、通帳を重送検査位置に搬送し、停止した状態を示している。制御部２は、搬送部３に対して搬送ローラ３１〜３６の駆動ローラと、従動ローラとを離間することを指示する。搬送部３は、搬送ローラ３１〜３６の駆動ローラ、または従動ローラの少なくとも一方の回転軸を搬送路における通帳の搬送面に対して垂直方向に移動できる構成である。すなわち、搬送部３は、搬送ローラ３１〜３６が通帳を挟持する状態と、通帳を挟持しない状態との切り換えが行える。搬送部３は、制御部２からの指示にしたがって、搬送ローラ３１〜３６の駆動ローラと、従動ローラとを離間し、搬送ローラ３１〜３６が通帳を挟持しない状態に切り換える（図１１参照）。
【００４１】
制御部２は、ページ捲りローラ駆動部８に対して、ページ捲りローラ８１の回転駆動を指示する。ページ捲りローラ駆動部８は、この指示にしたがって、ページ捲りローラ８１を１回転する。通帳は、このページ捲りローラ８１の回転により、ページ捲りローラ８１が当接したページとの間で生じた摩擦力により、先端側（図１２に示す左側）に繰り出される。このとき、通帳は、搬送ローラ３１〜３６に挟持されていないので、比較的スムーズに繰り出される。
【００４２】
今回重送検査位置に搬送された通帳が一冊であれば、図１３に示すように、通帳は重送検査位置よりも、ページ捲り位置側に移動する。一方、今回重送検査位置に搬送された通帳が２冊重なっていた場合、ページ捲りローラ８１が当接した通帳は、ページ捲り位置側に移動するが、下側に位置する通帳との重なり面の摩擦係数が小さいので、ページ捲りローラ８１が当接していない通帳は、重送検査位置からほとんど移動しない（図１４参照）。したがって、２冊の通帳は、背山の位置が搬送方向にずれた状態になる。
【００４３】
その後、制御部２は、搬送部３に対して搬送ローラ３１〜３６の駆動ローラと、従動ローラとの離間解除を指示する。搬送部３は、制御部２からの指示にしたがって、搬送ローラ３１〜３６が通帳を挟持する状態に戻す。さらに、制御部２は、搬送部３に対して通帳を印字位置側に搬送することを指示する。搬送部３が、この指示にしたがって、通帳を印字位置側に搬送する。
【００４４】
なお、上述の繰出処理において、ページ捲りローラ８１を回転させるとき、通帳を印字位置側に搬送する向きに、搬送ローラ３１〜３６の駆動ローラを回転させてもよい。このようにすれば、重送検査位置に搬送された通帳が２冊重なっていた場合、搬送方向における２冊の通帳の背山の位置のずれ量をより大きくできる。
【００４５】
次に、この通帳処理ユニット１の動作について説明する。図１５は、通帳処理ユニットの動作を示すフローチャートである。
【００４６】
制御部２は、通帳挿入口１２に通帳が挿入されるのを待つ（ｓ１）。通帳処理ユニット１は、検知部４が光学センサ４１により物体を検知すると、通帳挿入口１２に通帳が挿入されたと判定する。
【００４７】
制御部２は、搬送部３により、通帳挿入口１２に挿入された通帳を重送検査位置に搬送する搬送処理を開始する（ｓ２）。
【００４８】
通帳処理ユニット１は、重送検査位置に搬送している通帳に対して、磁気データの読み取り（ｓ３）、バーコードの読み取り（ｓ４）、および通帳の搬送方向の長さ算出（ｓ５）を行う。
【００４９】
ｓ３では、磁気データ処理部５が搬送路に沿って搬送されている通帳に貼付されている磁気ストライプに磁気ヘッド５１を当接し、記録されている磁気データを読み取る。
【００５０】
ｓ４では、バーコード読取部７が、搬送路に沿って搬送されている通帳の開かれているページに印刷されているバーコードを読み取るとともに、そのページの印字済最終行を検知する。
【００５１】
ｓ５では、検知部４が、光学センサ４２、４３、４４毎に、搬送している通帳の先端を検知したタイミングと、後端を検知したタイミングを制御部２に通知する。制御部２は、光学センサ４２、４３、４４毎に、その光学センサ４２〜４４が通帳の先端を検知してから、後端を検知するまでの間に、搬送部３が搬送ローラ３１〜３６の駆動ローラを回転駆動するモータに与えた駆動パルス数をカウントする。搬送路における通帳の搬送量は、駆動パルス数から算出できる。したがって、光学センサ４２、４３、４４毎に、その光学センサ４２〜４４が通帳の先端を検知してから、後端を検知するまでの間における駆動パルス数によって、通帳の長さを算出することができる。制御部２は、光学センサ４２、４３、４４毎に、通帳の長さを算出し、その平均を通帳の長さとして算出する。
【００５２】
なお、制御部２は、光学センサ４２、４３、４４のいずれかのみで、通帳の長さを算出してもよい。
【００５３】
制御部２は、ｓ３で読み取った磁気データ、ｓ４で読み取ったバーコード、ｓ５で算出した通帳の搬送方向の長さに基づき、通帳が適正であるかどうかを判定する（ｓ６）。ｓ６では、今回通帳挿入口１２に挿入されたものが、通帳以外のもの（異物）であった場合も、適正でないと判定する。
【００５４】
制御部２は、ｓ６で通帳が適正でないと判定すると、ｓ２で開始した重送検査位置への搬送処理を中止し、通帳（または異物）を通帳挿入口１２に放出（返却）するエラー処理を行い（ｓ７）、本処理を終了する。また、ｓ７では、ＡＴＭや記帳機等の上位装置に対して警告報知を要求してもよい。
【００５５】
制御部２は、ｓ６で通帳が適正であると判定すると、その通帳が重送検査位置に達するのを待つ（ｓ８）。制御部２は、通帳が重送検査位置に達すると、上述した繰出処理を行う（ｓ９）。制御部２は、繰出処理を行った通帳を、通帳挿入口１２に向けて搬送するのを開始する（ｓ１０）。
【００５６】
制御部２は、通帳の搬送方向の長さを算出する（ｓ１１）。ｓ１１では、通帳の搬送方向の長さの算出を、光学センサ４４による通帳の先端、および後端の検知により行う。ｓ１１では、光学センサ４４が、通帳の後端を検知すると、搬送ローラ３１〜３６の駆動ローラを回転駆動するモータに与える駆動パルス数のカウントを開始する。その後、光学センサ４４が通帳の先端を検知するか、または光学センサ４１が通帳の後端を検知すると、搬送部３による通帳の搬送を停止する。
【００５７】
ｓ９で繰出処理を行った通帳が１冊であれば、光学センサ４１と、光学センサ４４との間隔は、搬送路における通帳の搬送方向の長さよりも数十ｍｍ長いので、光学センサ４１が通帳の後端を検知するまえに、光学センサ４４が通帳の先端を検知する。
【００５８】
一方、ｓ９で繰出処理を行った通帳が２冊であれば、この２冊の通帳が搬送方向にずれて重なった状態で搬送されているので、光学センサ４４が通帳の先端を検知するまえに、光学センサ４１が通帳の後端を検知することがある。また、搬送方向における２冊の通帳のずれ量が小さく、光学センサ４１が通帳の後端を検知するまえに、光学センサ４４が通帳の先端を検知することもある。
【００５９】
制御部２は、光学センサ４４が通帳の先端を検知するまえに、光学センサ４１が通帳の後端を検知すると、通帳の重送が生じていると判定し、ｓ７でエラー処理を行う。
【００６０】
また、制御部２は、光学センサ４１が通帳の後端を検知するまえに、光学センサ４４が通帳の先端を検知すると、ｓ１１で算出した通帳の長さと、ｓ５で算出した通帳の長さとを比較し、その差分が、予め定めた長さを超えていれば、通帳の重送が生じていると判定し、ｓ７でエラー処理を行う。
【００６１】
制御部２は、通帳の重送が生じていないと判定すると、この通帳を印字位置に搬送し、印字処理を行い（ｓ１３）、この印字処理が完了すると、通帳を通帳挿入口１２に搬送し（ｓ１４）、本処理を終了する。
【００６２】
ｓ１１における印字処理では、取引内容を印字しているページの最終行に対する印字を行うと、この通帳をページ捲り位置に搬送し、上述したページ捲り処理を行った後に、取引内容を通帳に印字する印字処理を再開する。
【００６３】
このように、この通帳処理ユニット１は、通帳の重送を、厚み検知センサを用いることなく検知できるので、本体を小型にできるとともに、コストダウンが図れる。また、重送の検知精度も十分に確保できる。
【００６４】
なお、この発明は、上述の通帳処理ユニットに限らず、ページを開いた状態で冊子状媒体を送路に沿って搬送する機器に適用できる。
【符号の説明】
【００６５】
１…通帳処理ユニット
２…制御部
３…搬送部
４…検知部
５…磁気データ処理部
６…印字部
７…バーコード読取部
８…ローラ駆動部
９…通信部
３１〜３６…搬送ローラ
４１〜４４…光学センサ
５１…磁気ヘッド
６１…印字ヘッド
７１…バーコードリーダ
【図１】
0005770076.tif 000002
【図２】
0005770076.tif 000003
【図３】
0005770076.tif 000004
【図４】
0005770076.tif 000005
【図５】
0005770076.tif 000006
【図６】
0005770076.tif 000007
【図７】
0005770076.tif 000008
【図８】
0005770076.tif 000009
【図９】
0005770076.tif 000010
【図１０】
0005770076.tif 000011
【図１１】
0005770076.tif 000012
【図１２】
0005770076.tif 000013
【図１３】
0005770076.tif 000014
【図１４】
0005770076.tif 000015
【図１５】
0005770076.tif 000016